(57)【要約】【課題】インターネットを通じて公開されている外部向けのＷｅｂページに、イントラネットを通じて内部でのみ公開されている内部向けのＷｅｂページをリンクできるようにする。【解決手段】インターネット３０を通じて配信される外部向けコンテンツを管理するインターネット用Ｗｅｂサーバ１１と、イントラネット４０を通じて配信される内部向けコンテンツを管理するイントラネットＷｅｂサーバ１３との間にコンテンツ管理装置１５を介在させる。コンテンツ管理装置１５は、外部向けコンテンツに内部向けコンテンツをリンクさせるリンク手段と、内部向けコンテンツが更新されると外部向けコンテンツの当該内部向けコンテンツに対するリンク先アドレスを更新後の内部向けコンテンツが格納されたアドレスに変更するアドレス変更手段とを備える。【選択図】　図１
2004078362.tif 000002
【特許請求の範囲】
【請求項１】
公衆ネットワークを通じて配信される外部向けコンテンツに、企業内ネットワークを通じて配信される内部向けコンテンツをリンクさせるリンク手段と、
前記内部向けコンテンツが更新されると前記外部向けコンテンツの当該内部向けコンテンツに対するリンク先アドレスを更新後の内部向けコンテンツが格納されたアドレスに変更するアドレス変更手段とを具備したことを特徴とするコンテンツ管理装置。
【請求項２】
企業内ネットワークを通じて配信される複数の内部向けコンテンツを確認させるコンテンツ確認手段と、
前記複数の内部向けコンテンツ毎に公衆ネットワークを通じて配信される外部向けコンテンツにリンクを張るか否かを選択させる選択手段と、
この選択手段によりリンクを張ることが選択された前記内部向けコンテンツを前記外部向けコンテンツにリンクさせるリンク手段とを具備したことを特徴とするコンテンツ管理装置。
【請求項３】
選択手段によりリンクを張ることが選択された内部向けコンテンツが更新されると外部向けコンテンツの当該内部向けコンテンツに対するリンク先アドレスを更新後の内部向けコンテンツが格納されたアドレスに変更するアドレス変更手段をさらに具備したことを特徴とする請求項２記載のコンテンツ管理装置。
【請求項４】
外部向けコンテンツにリンクが張られた内部向けコンテンツ毎に公衆ネットワークを通じての訪問者数を集計する訪問者数集計手段をさらに具備したことを特徴とする請求項１乃至３のいずれかに記載のコンテンツ管理装置。
【請求項５】
公衆ネットワークを通じて配信される外部向けコンテンツと企業内ネットワークを通じて配信される内部向けコンテンツとを管理するコンピュータに、
前記外部向けコンテンツに前記内部向けコンテンツをリンクさせる機能と、
前記内部向けコンテンツが更新されると前記外部向けコンテンツの当該内部向けコンテンツに対するリンク先アドレスを更新後の内部向けコンテンツが格納されたアドレスに変更する機能とを実現させることを特徴とするコンテンツ管理プログラム。
【請求項６】
公衆ネットワークを通じて配信される外部向けコンテンツと企業内ネットワークを通じて配信される内部向けコンテンツとを管理するコンピュータに、
企業内ネットワークを通じて配信される複数の内部向けコンテンツを確認させる機能と、
前記複数の内部向けコンテンツ毎に公衆ネットワークを通じて配信される外部向けコンテンツにリンクを張るか否かを選択させる機能と、
この選択手段によりリンクを張ることが選択された前記内部向けコンテンツを前記外部向けコンテンツにリンクさせる機能とを実現させることを特徴とするコンテンツ管理プログラム。
【発明の詳細な説明】
【０００１】
【発明の属する技術分野】
本発明は、インターネット等の公衆ネットワークを通じて外部、例えば顧客向けに文書やマルチメディア情報（静止画像，動画像，音声等）等のコンテンツを配信するとともに、イントラネット等の企業内ネットワークを通じて内部、例えば社員向けに同様なコンテンツを配信する企業体等で利用されるコンテンツ管理装置及びコンテンツ管理プログラムに関する。
【０００２】
【従来の技術】
コンピュータ上にある文書ファイルから他の文書ファイルや画像ファイル等を呼出すための技術の１つにハイパーリンクがある。ＷＷＷ（Ｗｏｒｌｄ−Ｗｉｄｅ−Ｗｅｂ）では、この技術を利用してコンテンツ同士、例えば文書と文書あるいは文書と静止画像，動画像，音声等のマルチメディア情報を網の目のように関連付けたＷｅｂページ（ホームページ）を作成している。これにより、クライアント側では、専用の閲覧ソフトウェア，いわゆるＷｅｂブラウザを使ってＷｅｂページを表示させ、リンクが張られている場所を例えばマウス等のポインティングデバイスでクリックすると、関連付けられたリンク先の文書またはマルチメディア情報のファイルに自動的にジャンプするので、関連する多くの情報をユーザが簡便に取得できる利点がある。
【０００３】
ところで、多くの企業体では、インターネットを通じて種々の情報をＷｅｂページの形態で配信している。例えば、会社の規模，歴史，経営方針や、各支店の場所，住所，電話番号，地図，アクセス方法等の社外向けの情報を記述したＷｅｂページを作成し、インターネット上で公開している企業体がある。その一方で、企業内にイントラネットを敷設し、ＷＷＷの技術を利用して企業内で情報をやり取りすることも行なわれている。例えば、支店毎に社内向けの情報を記述したＷｅｂページを作成し、イントラネットを通じて本店や他の支店に公開している企業体がある。
【０００４】
【発明が解決しようとする課題】
しかしながら、インターネットを通じてＷｅｂページ等のＷｅｂ情報を発信するのに特化したコンピュータと、イントラネットを通じて同様なＷｅｂ情報を発信するコンピュータとは、各々独立していた。このため、インターネット上で公開されているＷｅｂページのコンテンツに、イントラネット上で公開されているＷｅｂページのコンテンツをリンクさせることはできなかった。
【０００５】
本発明はこのような事情に基づいて成されたもので、その目的とするところは、各々独立しているコンピュータによって管理されているコンテンツ間でリンクを張ることができるようにするものである。
【０００６】
【課題を解決するための手段】
本発明は、インターネット等の公衆ネットワークを通じて配信される外部向けコンテンツを管理する第１のコンピュータと、イントラネット等の企業内ネットワークを通じて配信される内部向けコンテンツを管理する第２のコンピュータとの間に介在するコンテンツ管理装置であって、外部向けコンテンツに内部向けコンテンツをリンクさせるリンク手段と、内部向けコンテンツが更新されると外部向けコンテンツの当該内部向けコンテンツに対するリンク先アドレスを更新後の内部向けコンテンツが格納されたアドレスに変更するアドレス変更手段とを備えたものである。
【０００７】
このような手段を講じたコンテンツ管理装置であれば、公衆ネットワークを通じて配信される外部向けコンテンツに、企業内ネットワークを通じて配信される内部向けコンテンツがリンクされる。また、内部向けコンテンツが更新されると、自動的に外部向けコンテンツのリンク先が更新後の内部向けコンテンツに変更される。
【０００８】
【発明の実施の形態】
以下、本発明の一実施の形態を図面を用いて説明する。
なお、この実施の形態は、複数の店舗を本部で統轄するスーパーマーケット等の小売企業体のネットワークシステムに適用した場合である。
【０００９】
図１は上記ネットワークシステムの要部構成を示すブロック図であり、符号１０は本部に構築される本部システムを示し、符号２０は各店舗にそれぞれ構築される店舗システムを示している。
【００１０】
本部システム１０は、インターネット用Ｗｅｂサーバ１１、インターネット用ルータ１２、イントラネット用サーバ１３、イントラネット用ルータ１４及びコンテンツ管理装置１５等で構成されており、各々がＬＡＮ（Ｌｏｃａｌ　Ａｒｅａ　Ｎｅｔｗｏｒｋ）で接続されている。
【００１１】
インターネット用Ｗｅｂサーバ１１は、文書，マルチメディア情報等のコンテンツをＷＷＷの技術によって公衆ネットワークであるインターネット３０上に発信するのに特化したコンピュータである。インターネット用Ｗｅｂサーバ１１には、メインＷｅｂページＰ０を記憶するメイン記憶部１６Ａと、前記メインＷｅｂページＰ１にリンクを張る複数のリンクＷｅｂページＰ１〜Ｐｍを記憶するリンク記憶部１６Ｂとが設けられている。メインＷｅｂページＰ０は、小売企業体が不特定多数の消費者に情報を提供するために作成した外部向けのコンテンツである。
【００１２】
インターネット用ルータ１２は、インターネット３０を介してアクセスがあった不特定のクライアント（パソコン，携帯電話，ＰＤＡ（Ｐｅｒｓｏｎａｌ　Ｄｉｇｉｔａｌ　Ａｓｓｉｓｔａｎｔｓ）等）とインターネット用サーバ１１とを接続し、その間の通信を処理するものである。
【００１３】
イントラネット用Ｗｅｂサーバ１３は、インターネット用Ｗｅｂサーバ１１と同様に、文書，マルチメディア情報等のコンテンツをＷＷＷの技術によって企業内ネットワークであるイントラネット４０上に発信するのに特化したコンピュータである。イントラネット用Ｗｅｂサーバ１３には、店舗毎に作成される複数の店舗ＷｅｂページＱ１〜Ｑｎを記憶する記憶部１７が設けられている。店舗ＷｅｂページＱ１〜Ｑｎには、各店舗がそれぞれ本部や他の店舗に情報を提供するために作成した内部向けのコンテンツである。
【００１４】
イントラネット用ルータ１４は、イントラネット４０を介してアクセスがあった各店舗システム２０の店舗クライアント２１とイントラネット用サーバ１３とを接続し、その間の通信を処理するものである。
【００１５】
コンテンツ管理装置１５は、インターネット３０を通じて配信される外部向けコンテンツを管理する第１のコンピュータであるインターネット用Ｗｅｂサーバ１１と、イントラネット４０を通じて配信される内部向けコンテンツを管理する第２のコンピュータであるイントラネット用Ｗｅｂサーバ１３との間に介在し、後述するページ更新処理，リンク変更処理，訪問者数計数処理及び訪問者数出力処理等の各種処理を実行するものである。コンテンツ管理装置１５は、例えばＣＤ−ＲＯＭ，ＤＶＤ，磁気ディスク，半導体メモリ等の記憶媒体に記憶されたプログラムを読込み、このプログラムによって動作が制御されるコンピュータによって構成され、それぞれ対応するプログラムが実行されることによって前記各種処理が実現されるものとなっている。
【００１６】
コンテンツ管理装置１５には、前記各種処理を実行するのに必要な機器として、ＨＤＤ（Ｈａｒｄ　Ｄｉｓｋ　Ｄｒｉｖｅ）装置１８と、キーボード，マウス等の入力装置１９Ａと、ディスプレイ装置１９Ｂとが設けられている。ＨＤＤ装置１８には、特に店舗データベース５０と、訪問者数データベース６０とが形成されている。
【００１７】
図２に示すように、店舗データベース５０には、各店舗にそれぞれ設定された店舗固有の店舗コード別に店舗名が設定されるとともに、その店舗コード別にイントラネット用Ｗｅｂページアドレス，更新日付，リンクフラグ，インターネット用Ｗｅｂページアドレス及び訪問者数の各データが選択的に格納される。訪問者数データベース６０には、同じく店舗コード別に店舗名が設定されるとともに、その店舗コード別に更新日付と訪問者数の各データが対をなして複数格納される。
【００１８】
イントラネット用Ｗｅｂページアドレスは、対応する店舗の店舗ＷｅｂページＱｉ（１≦ｉ≦ｎ）が格納されている記憶部１７のアドレスである。インターネット用Ｗｅｂページアドレスは、対応する店舗の店舗ＷｅｂページＱｉ（１≦ｉ≦ｎ）がメインＷｅｂページＰ０にリンクを張るためにリンクＷｅｂページＰｉとして格納されているリンク記憶部１６Ｂのアドレスである。両Ｗｅｂページアドレスは、ＵＲＬ（Ｕｎｉｆｏｒｍ　Ｒｅｓｏｕｒｃｅ　Ｌｏｃａｔｏｒ）によって表記されている。
【００１９】
更新日付は、対応する店舗の店舗ＷｅｂページＱｉが更新された日付である。リンクフラグは、対応する店舗の店舗ＷｅｂページＱｉがメインＷｅｂページＰ０にリンクを張るか否かを識別する情報であり、この実施の形態では、リンクフラグが“１”のときリンクを張ることを示し、リンクフラグが“０”のときリンクを張らないことを示している。訪問者数は、対応する店舗の店舗ＷｅｂページＱｉがメインＷｅｂページＰ０にリンクを張った場合において、当該店舗ＷｅｂページＱｉ（リンクＷｅｂページＰｉ）へのアクセスがあった件数である。
【００２０】
各店舗システム２０は、それぞれ店舗クライアント２１とイントラネット用ルータ２２とによって構成されており、店舗クライアント２１とイントラネット用ルータ２２とはＬＡＮで接続されている。イントラネット用ルータ２２は、イントラネット４０を介して店舗クライアント２１とイントラネット用サーバ１３とを接続し、その間の通信を処理するものである。
【００２１】
各店舗クライアント２１は、それぞれイントラネット用サーバ１３から発信される各店舗Ｗｅｂページ等のＷｅｂ情報を閲覧するためのアプリケーションソフトウェア，いわゆるＷｅｂブラウザを実装している。また、ＨＴＭＬ（Ｈｙｐｅｒｔｅｘｔ　Ｍａｒｋｕｐ　Ｌａｎｇｕａｇｅ）を利用してＷｅｂページを作成するためのアプリケーションソフトウェアを実装しており、各店舗では、このソフトウェアを用いて所望する店舗ＷｅｂページＱｉを任意に作成する。各店舗クライアント２１には、それぞれ店舗ＷｅｂページＱｉの作成に必要な入力装置２３Ａと、Ｗｅｂページの閲覧に必要なディスプレイ装置２３Ｂとが接続されている。また、各店舗クライアント２１には、それぞれ自店舗に対して予め割り当てられた店舗コードが設定されている。
【００２２】
さて、いずれかの店舗クライアント２１において、店舗ＷｅｂページＱｉが作成され、イントラネット４０を介して本部システム１０にアップロードされると、本部システム１０のイントラネット用サーバ１３は、アップロードされた店舗ＷｅｂページＱｉを記憶部１７に登録し、その登録位置情報等によってイントラネット用Ｗｅｂページアドレスを特定するものとなっている。
【００２３】
図３は、コンテンツ管理装置１５がプログラムに従って実行するページ更新処理の要部を示す流れ図である。すなわち、コンテンツ管理装置１５は、ＳＴ（ステップ）１としてイントラネット用サーバ１３を監視し、店舗ＷｅｂページＱｉがアップロードされるのを待機している。そして、店舗ＷｅｂページＱｉがアップロードされたことを検知すると、ＳＴ２として当該店舗ＷｅｂページＱｉをアップロードした店舗クライアント２１に設定されている店舗コードを取得する。そして、ＳＴ３として店舗データベース５０の当該店舗コードに対応するイントラネット用Ｗｅｂページアドレスを、当該店舗ＷｅｂページＱｉの登録先を示すイントラネット用Ｗｅｂページアドレスに更新する。
【００２４】
次に、コンテンツ管理装置１５は、ＳＴ４として店舗データベース５０を検索して当該店舗コードに対応するリンクフラグを調べる。ここで、リンクフラグが“０”の場合には、対応する店舗の店舗ＷｅｂページＱｉがメインＷｅｂページＰ０にリンクを張らない設定になっているので、コンテンツ管理装置１５は、ＳＴ１１の処理にジャンプする。そして、店舗データベース５０の当該店舗コードに対応する更新日付を当日の日付に変更したならば、コンテンツ管理装置１５は、この処理の最初に戻り、次の店舗ＷｅｂページＱｉがアップロードされるのを待機する。
【００２５】
これに対し、リンクフラグが“１”の場合には、対応する店舗の店舗ＷｅｂページＱｉがメインＷｅｂページＰ０にリンクを張る設定になっているので、コンテンツ管理装置１５は、ＳＴ５として当該店舗ＷｅｂページＱｉを記憶部１７からコピーし、インターネット用Ｗｅｂサーバ１１のリンク記憶部１６Ｂに貼り付けて、リンクＷｅｂページＰｉとして登録する。登録後、コンテンツ管理装置１５は、ＳＴ６としてそのリンクＷｅｂページＰｉの登録位置情報等によってインターネット用Ｗｅｂページアドレスを特定する。そして、インターネット用Ｗｅｂページアドレスを特定したならば、コンテンツ管理装置１５は、ＳＴ７としてメイン記憶部１６Ａに登録されているメインＷｅｂページＰ０の当該リンクＷｅｂページＰｉに対するリンク先アドレスを、その特定したインターネット用Ｗｅｂページアドレスに変更する。具体的には、メインＷｅｂページＰ０を構成するＨＴＭＬファイルの当該リンクＷｅｂページＰｉに対するリンク先アドレスが記述されたリンクタグ内のＵＲＬを、その特定したインターネット用Ｗｅｂページアドレスに書換える（アドレス変更手段）。
【００２６】
しかる後、コンテンツ管理装置１５は、ＳＴ８として店舗データベース５０の当該店舗コードに対応するインターネット用Ｗｅｂページアドレスを、その特定したインターネット用Ｗｅｂページアドレスに変更する。また、ＳＴ９として店舗データベース５０から当該店舗コードに対応する更新日付と訪問者数の各データを読込み、訪問者数データベース６０の当該店舗コードに対応するエリアに格納して保存する。保存後、コンテンツ管理装置１５は、ＳＴ１０として店舗データベース５０の当該店舗コードに対応する訪問者数を“０”に初期化する。また。ＳＴ１１として店舗データベース５０の当該店舗コードに対応する更新日付を当日の日付に変更したならば、この処理の最初に戻り、次の店舗ＷｅｂページＱｉがアップロードされるのを待機する。
【００２７】
このように、各店舗で店舗クライアント２１を利用して新たな店舗ＷｅｂページＱ１〜Ｑｎを作成し、本部システム１０にアップロードすると、その店舗の店舗ＷｅｂページＱ１〜ＱｎがメインＷｅｂページＰ０にリンクを張る設定になっているか否かが判断される。そして、リンクを張る設定になっている場合には、自動的にメインＷｅｂページＰ０の当該店舗ＷｅｂページＱ１〜Ｑｎに対するリンク先アドレスが更新後の店舗ＷｅｂページＱ１〜Ｑｎが格納されたリンク記憶部１６Ｂのアドレスに変更される。したがって、メインＷｅｂページＰ０にリンクを張る設定になっている店舗ＷｅｂページＱ１〜Ｑｎは、更新後もメインＷｅｂページＰ０に対して自動的にリンクが張られる。
【００２８】
一方、本部では、イントラネット４０上で公開されている各店舗のＷｅｂページＱ１〜Ｑｎを、インターネット３０上で公開されているメインＷｅｂページＰ０にリンクさせるか否かを、店舗ＷｅｂページＱ１〜Ｑｎ毎に設定できるようになっている。この機能は、コンテンツ管理装置１５においてリンク変更処理を実行させることで実現される。
【００２９】
図４は、コンテンツ管理装置１５がプログラムに従って実行するリンク変更処理の要部を示す流れ図である。すなわち、コンテンツ管理装置１５は、リンク変更処理の開始コマンドが例えば入力装置１９Ａを介して入力されると、この処理を開始し、先ず、ＳＴ２１として、図７に示すようなレイアウトの店舗一覧画面７０をディスプレイ装置１９Ｂに表示させる。この店舗一覧画面７０には、店舗データベース５０に格納されている各店舗の店舗名と、その店舗の店舗ＷｅｂページＱ１〜ＱｎがメインＷｅｂページＰ０に対してリンクを張る設定になっているか否かを識別するリンク識別情報（リンクを張る：○、リンクを張らない：×）との対応表７１と、業務終了ボタン７２とが表示されている。対応表７１の各店舗名には、それぞれ当該店舗の店舗ＷｅｂページＱ１〜Ｑｎがリンクされている。すなわち、店舗名をクリックすることによって、当該店舗の店舗ＷｅｂページＱ１〜Ｑｎが表示されるようになっている。リンク識別情報は、各店舗の店舗コードにそれぞれ対応するリンクフラグに基づいて決定される。すなわち、リンクフラグが“１”の店舗名に対してはリンクを張ることを示すリンク識別情報“○”が表示され、リンクフラグが“０”の店舗名に対してはリンクを張らないことを示すリンク識別情報“×”が表示される。
【００３０】
コンテンツ管理装置１５は、店舗一覧画面７０を表示後、ＳＴ２２として業務終了ボタン７２がクリックされるか、ＳＴ２３として対応表７１のいずれかの店舗名がクリックされるのを待機する。そして、対応表７１のいずれかの店舗名がクリックされた場合には、その店舗名の店舗が選択されたので、ＳＴ２４として当該店舗の店舗ＷｅｂページＱｉをイントラネット用Ｗｅｂサーバ１３の記憶部１７から取込み、図８に示すようなレイアウトの店舗Ｗｅｂページ確認画面８０をディスプレイ装置１９Ｂに表示させる（コンテンツ確認手段）。この店舗Ｗｅｂページ確認画面８０には、当該店舗の店舗Ｗｅｂページ画面８１とともに、戻りボタン８２，リンク設定ボタン８３及びリンク解除ボタン６４が表示されている。
【００３１】
コンテンツ管理装置１５は、店舗Ｗｅｂページ確認画面８０を表示後、ＳＴ２５として当該店舗の店舗ＷｅｂページＱｉがメインＷｅｂページＰ０にリンクを張っているか否かを判断する。ここで、当該店舗の店舗コードに対応するリンクフラグが“０”であり、リンクを張っていないと判断した場合には、ＳＴ２６として店舗Ｗｅｂページ確認画面８０の戻りボタン８２がクリックされるか、ＳＴ２７としてリンク設定ボタン８３がクリックされるのを待機する（選択手段）。
【００３２】
そして、リンク設定ボタン８３がクリックされた場合には、コンテンツ管理装置１５は、ＳＴ２８として当該店舗の店舗ＷｅｂページＱｉを記憶部１７からコピーし、インターネット用Ｗｅｂサーバ１１のリンク記憶部１６Ｂに貼り付けて、リンクＷｅｂページＰｉとして登録する。登録後、コンテンツ管理装置１５は、ＳＴ２９としてその登録位置情報等によってインターネット用Ｗｅｂページアドレスを特定する。そして、インターネット用Ｗｅｂページアドレスを特定したならば、コンテンツ管理装置１５は、ＳＴ３０としてメイン記憶部１６Ａに登録されているメインＷｅｂページＰ０に、当該リンクＷｅｂページＰｉに対するリンク先アドレスとして、その特定したインターネット用Ｗｅｂページアドレスを記述して、当該リンクＷｅｂページＰｉ，つまりは店舗ＷｅｂページＱｉをリンクさせる（リンク手段）。
【００３３】
しかる後、コンテンツ管理装置１５は、ＳＴ３１として店舗データベース５０の当該店舗コードに対応するリンクフラグを“１”に変更する。また、ＳＴ３２として同店舗データベース５０の当該店舗コードに対応するインターネット用Ｗｅｂページアドレスのエリアに、その特定したインターネット用Ｗｅｂページアドレスをセットする。さらに、ＳＴ３３として同店舗データベース５０の当該店舗コードに対応する訪問者数を“０”に初期化する。その後、コンテンツ管理装置１５は、ＳＴ２１に戻り、店舗一覧画面７０を再度表示させる。
【００３４】
一方、ＳＴ２５にて当該店舗の店舗コードに対応するリンクフラグが“１”であり、リンクを張っていると判断した場合には、コンテンツ管理装置１５は、ＳＴ３４として店舗Ｗｅｂページ確認画面８０の戻りボタン８２がクリックされるか、ＳＴ３５としてリンク解除ボタン８４がクリックされるのを待機する（選択手段）。
【００３５】
そして、リンク解除ボタン８４がクリックされた場合には、コンテンツ管理装置１５は、ＳＴ３６としてメイン記憶部１６Ａに登録されているメインＷｅｂページＰ０から、当該店舗ＷｅｂページＱｉがコピーされたリンクＷｅｂページＰｉに対するリンク先アドレスの記述を消去して、当該店舗ＷｅｂページＱｉのリンクを解除する（リンク解除手段）。
【００３６】
しかる後、コンテンツ管理装置１５は、ＳＴ３７として店舗データベース５０の当該店舗コードに対応するリンクフラグを“０”に変更する。また、ＳＴ３８として同店舗データベース５０の当該店舗コードに対応するインターネット用Ｗｅｂページアドレスをクリアする。さらに、ＳＴ３９として同店舗データベース５０から当該店舗コードに対応する更新日付と訪問者数の各データを読込み、訪問者数データベース６０の当該店舗コードに対応するエリアに格納して保存する。保存後、コンテンツ管理装置１５は、ＳＴ２１に戻り、店舗一覧画面７０を再度表示させる。
【００３７】
なお、店舗Ｗｅｂページ確認画面８０を表示させた状態で、戻りボタン８２がクリックされた場合には（ＳＴ２６のＹＥＳまたはＳＴ３４のＹＥＳ）、コンテンツ管理装置１５は、店舗一覧画面７０の表示状態に戻る。
【００３８】
また、店舗一覧画面７０を表示させた状態で、業務終了ボタン７２がクリックされた場合には、コンテンツ管理装置１５は、ＳＴ４０としてこの店舗一覧画面７０の表示をクリアする。以上で、このリンク変更処理を終了するものとなっている。
【００３９】
このように、本部では、イントラネット４０上で公開されている各店舗のＷｅｂページＱ１〜Ｑｎを、インターネット３０上で公開されているメインＷｅｂページＰ０にリンクさせるか否かを、店舗ＷｅｂページＱ１〜Ｑｎ毎にその内容を確認しながら簡単に設定することができる。したがって、本部の担当者が店舗ＷｅｂページＱ１〜Ｑｎの内容を見て、この内容であれば顧客にも公開したいと判断したときには、簡単な手順で公開できるようになる。逆に、公開を取り止めたいと判断したときにも、簡単な手順で公開を即座に中止することができる。
【００４０】
ところで、インターネット用Ｗｅｂサーバ１１は、インターネット３０を介して不特定のクライアントからメインＷｅｂページＰ０へのアクセス要求があると、メイン記憶部１６ＡからメインＷｅｂページＰ０を読込み、インターネット３０を介して要求元クライアントにダウンロードする。これにより、要求元クライアントのディスプレイには、Ｗｅｂブラウザの作用によってメインＷｅｂページＰ０が表示される。
【００４１】
図９は、メインＷｅｂページＰ０に３つの店舗［ＡＡＡ店］，［ＣＣＣ店］，［ＥＥＥ店］の各店舗ＷｅｂページＱ１，Ｑ２，Ｑ３をリンクさせているときのメインＷｅｂページ画面９０の一構成例である。
【００４２】
ここで、当該クライアントのユーザが関連リンク項目の［ＡＡＡ店］をクリックしたとする。そうすると、インターネット用Ｗｅｂサーバ１１は、リンク記憶部１６Ｂにコピーされた店舗［ＡＡＡ店］のリンクＷｅｂページを読込み、インターネット３０を介して要求元クライアントにダウンロードする。これにより、要求元クライアントのディスプレイには、店舗［ＡＡＡ店］の店舗Ｗｅｂページ画面が表示される。
【００４３】
同様に、当該クライアントのユーザが関連リンク項目の［ＣＣＣ店］をクリックした場合には、インターネット用Ｗｅｂサーバ１１は、リンク記憶部１６Ｂにコピーされた店舗［ＣＣＣ店］のリンクＷｅｂページを読込み、インターネット３０を介して要求元クライアントにダウンロードする。これにより、要求元クライアントのディスプレイには、店舗［ＣＣＣ店］の店舗Ｗｅｂページ画面が表示される。
【００４４】
図５は、コンテンツ管理装置１５がプログラムに従って実行する訪問者数計数処理の要部を示す流れ図である。すなわち、コンテンツ管理装置１５は、ＳＴ５１としてインターネット用Ｗｅｂサーバ１１を監視している。そして、インターネット３０に接続された不特定のクライアントからＷｅｂページへのアクセス要求を検知すると、ＳＴ５２としてそのアクセス要求先がメインＷｅｂページＰ０にリンクしている店舗ＷｅｂページＰ１〜Ｐｍであるか否かを判断する。そして、店舗ＷｅｂページＰ１〜Ｐｍであった場合には、ＳＴ５３として当該店舗ＷｅｂページＰ１〜Ｐｍのインターネット用Ｗｅｂページアドレスを取得する。そして、ＳＴ５４として店舗データベース５０から当該インターネット用Ｗｅｂページアドレスに対応する訪問者数を“１”だけ増加する（訪問者数集計手段）。その後、この処理の最初に戻り、次のＷｅｂページアクセス要求を待機する。
【００４５】
このように、コンテンツ管理装置１５では、メインＷｅｂページＰ０にリンクしている各店舗ＷｅｂページＰ１〜Ｐｍへの訪問者数が、各店舗ＷｅｂページＰ１〜Ｐｍ毎に集計される。
【００４６】
図６は、コンテンツ管理装置１５がプログラムに従って実行する訪問者数出力処理の要部を示す流れ図である。すなわち、コンテンツ管理装置１５は、訪問者数出力処理の開始コマンドが例えば入力装置１９Ａを介して入力されると、この処理を開始し、先ず、ＳＴ６１としていずれかの店舗コードが入力されるのを待機する。そして、いずれかの店舗コードが例えば入力装置１９Ａを介して入力されると、コンテンツ管理装置１５は、ＳＴ６２としてディスプレイ１９Ｂに訪問者数出力画面を表示させ、店舗データベース５０から入力店舗コードに対応する店舗名を読み出して、この画面に表示させる。
【００４７】
次に、コンテンツ管理装置１５は、ＳＴ６３として店舗データベース５０を検索して、入力店舗コードに対応するリンクフラグを調べる。ここで、リンクフラグが“１”の場合には、対応する店舗の現時点における店舗ＷｅｂページＱｉがメインＷｅｂページＰ０にリンクを張っているので、コンテンツ管理装置１５は、ＳＴ６４として店舗データベース５０から入力店舗コードに対応する更新日付と訪問者数を読み出して、現時点の訪問者数データとして前記訪問者数出力画面に表示させる。リンクフラグが“０”の場合には、対応する店舗の現時点における店舗ＷｅｂページＱｉがメインＷｅｂページＰ０にリンクを張っていないので、コンテンツ管理装置１５は、ＳＴ６４の処理は実行しない。
【００４８】
次に、コンテンツ管理装置１５は、ＳＴ６５として訪問者数データベース６０を検索して、入力店舗コードに対応して更新日付と訪問者数のデータが格納されているか否かを判断する。更新日付と訪問者数のデータが格納されている場合には、コンテンツ管理装置１５は、ＳＴ６６としてその更新日付と訪問者数のデータを全て読み出して、過去の訪問者数データとして前記訪問者数出力画面に表示させる。更新日付と訪問者数のデータが格納されていない場合には、コンテンツ管理装置１５は、ＳＴ６６の処理を実行しない。
【００４９】
その後、コンテンツ管理装置１５は、ＳＴ６１の処理に戻り、次の店舗コードが入力されるのを待機する。この店舗コード入力待機状態において、ＳＴ６７として業務終了コマンドが例えば入力装置１９Ａを介して入力されると、コンテンツ管理装置１５は、ＳＴ６８として前記訪問者数出力画面を消去して、この訪問者数出力処理を終了する。
【００５０】
図１０は、前記訪問者数出力画面の一表示例である。すなわち本部では、訪問者数出力画面を確認することによって、メインＷｅｂページＰ０にリンクを張った店舗Ｗｅｂページ毎に、訪問者数を容易に知ることができる。
【００５１】
なお、訪問者数出力処理はこれに限定されるものではなく、例えば店舗データベース５０にて集計されている店舗ＷｅｂページＱ１〜Ｑｎ毎の訪問者数を一覧表示させるモードを備えてもよい。こうすることにより、メインＷｅｂページＰ０にリンクを張った各店舗Ｗｅｂページへのそれぞれの訪問者数を容易に比較することができる。
【００５２】
この他、本発明の要旨を逸脱しない範囲で種々変形実施可能であるのは勿論である。例えば、コンテンツ管理装置１５は、通信媒体により伝送されたプログラムに従いページ更新処理，リンク変更処理，訪問者数計数処理及び訪問者数出力処理等の各種処理を実行するものであってもよい。
【００５３】
【発明の効果】
以上詳述したように本発明によれば、例えばインターネットを通じて公開されている外部向けのＷｅｂページに、イントラネットを通じて内部でのみ公開されている内部向けのＷｅｂページをリンクさせると言うように、各々独立しているコンピュータによって管理されているコンテンツ間でリンクを容易に張ることができるようになる。
【図面の簡単な説明】
【図１】本発明の一実施の形態であるネットワークシステムの要部構成を示すブロック図。
【図２】同実施の形態において、コンテンツ管理装置が有する店舗データベースと訪問者数データベースの一構成例を示す図。
【図３】同実施の形態において、コンテンツ管理装置が実行するページ更新処理の要部を示す流れ図。
【図４】同実施の形態において、コンテンツ管理装置が実行するリンク変更処理の要部を示す流れ図。
【図５】同実施の形態において、コンテンツ管理装置が実行する訪問者数計数処理の要部を示す流れ図。
【図６】同実施の形態において、コンテンツ管理装置が実行する訪問者数出力処理の要部を示す流れ図。
【図７】同実施の形態において、コンテンツ管理装置のディスプレイに表示される店舗一覧画面の一例を示す図。
【図８】同実施の形態において、コンテンツ管理装置のディスプレイに表示される店舗Ｗｅｂページ確認画面の一例を示す図。
【図９】同実施の形態において、インターネットに接続されたクライアントのディスプレイに表示されるメインＷｅｂページ画面の一例を示す図。
【図１０】同実施の形態において、コンテンツ管理装置のディスプレイに表示される訪問者数出力画面の一例を示す図。
【符号の説明】
１０…本部システム
１１…インターネット用Ｗｅｂサーバ
１２…インターネット用ルータ
１３…イントラネット用Ｗｅｂサーバ
１４…イントラネット用ルータ
１５…コンテンツ管理装置
１６Ａ…メイン記憶部
１６Ｂ…リンク記憶部
１７…記憶部
２０…店舗システム
３０…インターネット
４０…イントラネット
５０…店舗データベース
６０…訪問者数データベース
【図１】
2004078362.tif 000003
【図２】
2004078362.tif 000004
【図３】
2004078362.tif 000005
【図４】
2004078362.tif 000006
【図５】
2004078362.tif 000007
【図６】
2004078362.tif 000008
【図７】
2004078362.tif 000009
【図８】
2004078362.tif 000010
【図９】
2004078362.tif 000011
【図１０】
2004078362.tif 000012